(57)【要約】【課題】照明無しの時は反射リングとしての装飾存在の効果を有しながら、照明有りの時はリング自体が発光することで、『光』の演出となる二重の装飾効果を有する自動車のメータ用の装飾リングを提供する。【解決手段】自動車のメータの周囲に配設されるメータ用の装飾リング１０であって、透光性材料で断面が逆Ｕ字状など立体的な構造を有する形状に形成された透光性リング１１と、透光性リング１１の表面にメッキ処理を施されたハーフミラー１２と、から構成することで二重の装飾効果を有し、かつ逆Ｕ字状など立体的な構造を有する形状に形成された透光性リングの裏側の内壁面に、ハーフミラー越しに見える凹凸パターンを施して照明の強弱効果が得られるようにした。【選択図】図１
2010185695.tif 000002
【特許請求の範囲】
【請求項１】
自動車のメータの周囲に配設されるメータ用の装飾リングであって、透光性材料で断面が逆Ｕ字状など立体的な構造を有する形状に形成された透光性リングと、該透光性リングの表面にメッキ処理を施されたハーフミラーと、から構成されたことを特徴とするメータ用の装飾リング。
【請求項２】
前記逆Ｕ字状など立体的な構造を有する形状に形成された透光性リングの裏側の内壁面に、前記ハーフミラー越しに見える凹凸パターンを施したことを特徴とする請求項１記載のメータ用の装飾リング。
【請求項３】
前記凹凸パターンが凹凸で網目状、市松状、波状、斜線状、複数直線状などを描いたパターンであることを特徴とする請求項２記載のメータ用の装飾リング。
【請求項４】
前記ハーフミラー又は前記透光性リングに部分的に不透光メッキ又は不透光材料を施して不透光部分を形成したことを特徴とする請求項１〜３のいずれか１項記載のメータ用の装飾リング。
【発明の詳細な説明】
【技術分野】
【０００１】
本発明は、メータ用の装飾リングに関するもので、特に自動車のメータに設定のある装飾のリングの昼と夜のそれぞれの「見栄え」を異なるようにした「装飾効果」を有するリングに関するものである。
【背景技術】
【０００２】
従来より、自動車のメータの周囲に装飾リングを配設してメータの「見栄え」をよくすることが行われていた（特許文献１参照）。
〈従来の装飾リングは２種あった〉
メータに設けられる装飾リングは、（ａ）透光性のあるリング状のもの自体が、バックライト等の照明光により発光しているように見える演出効果を持った装飾リングと、（ｂ）メッキなどにより光の反射による金属光沢を発する演出効果を持った装飾リング、とのいずれかの光（反射光か発光光）に対する演出効果しか持たないものであった。
【先行技術文献】
【特許文献】
【０００３】
【特許文献１】特開２００７−１９８９４１号公報
【０００４】
〈透光型タイプの装飾リング〉
図５は透光型タイプの従来の装飾リングを示す図で、（ａ）は斜視図、（ｂ）は図５（ａ）のＡ−Ａ断面図である。図（ａ）の装飾リング３０のＡ−Ａ断面は図５（ｂ）のように逆Ｕ字状をした透光性の生地３１から成る。「透光性」の定義はここでは透明はもとより、着色されたクリア−系、乳白色など光を遮光しない材料の全般のことを指している。
そこで、逆Ｕ字状をした透光性の生地３１の下側（開口側）にバックライトを置くと、透光型タイプの装飾リング３０（図ａ）に光が入射し、導光し、出射するのであたかも装飾リング３０自体が全体で発光しているように明るく見える。
【０００５】
〈反射型タイプの装飾リング〉
図６は反射型タイプの従来の装飾リングを示す図で、（ａ）は斜視図、（ｂ）は図（ａ）のＡ−Ａ断面図である。図６（ａ）のリング４０のＡ−Ａ断面は図（ｂ）のように逆Ｕ字状をした不透光性の生地４１の表面にメッキ４２を施したものから成る。そこで、メッキ４２に照明が当たるとメッキ４２の表面で光が反射して金属光沢のある装飾リング４０（図ａ）として見える。
【０００６】
〈指針式表示装置への適用例〉
図７はこれらの従来の装飾リングを適用した自動車の指針式表示装置を示す正面図で、（ａ）はＡ車の指針式表示装置３００、（ｂ）はＢ車の指針式表示装置４００を示している。
この指針式表示装置３００、４００は、共に、スピードメータ、燃料メータ、水温メータ、タコメータ、オドメータ等が一体化されたコンビネーションメータで、見返しと、文字板と、指針と、ＬＣＤと、光源である複数のＬＥＤを有している。
図７（ａ）では、この指針式表示装置３００のメータの周囲に透光型タイプの装飾リング３０（図５）を嵌め込んでおり、図７（ｂ）では、指針式表示装置４００のメータの周囲に金属光沢（反射型）の装飾リング４０（図６）を嵌め込んでいる。
【０００７】
〈従来の装飾リングの欠点〉
以上のように、従来の装飾リングは、（ａ）透光性の装飾リングと、（ｂ）金属光沢の装飾リングのいずれかの機能しか備えていなかった。そこで、図７で、Ａ車が透光性の装飾リング３０を用いたら常にバックライトによる透光性の装飾リング３０の機能しかなく、また、Ｂ車が金属光沢の装飾リング４０を用いたら常に金属光沢による装飾リング４０の機能しか行わないといったように、どちらかの演出効果しか持たないものであった。
したがって演出効果としては従来の装飾リングでは単純で退屈なものとなっていた。
【発明の概要】
【発明が解決しようとする課題】
【０００８】
本発明は、上記した課題を解決するもので、従来の装飾リングに無いような発光により、リングとしての装飾と光の演出効果の両方を有するリング仕様機能となるようにし、商品力の向上に貢献できる装飾リングを提供することを目的としている。
【課題を解決するための手段】
【０００９】
上記目的を達成するために、第１発明は、自動車のメータの周囲に配設されるメータ用の装飾リングに係り、透光性材料で断面が逆Ｕ字状など立体的な構造を有する形状に形成された透光性リングと、該透光性リングの表面にメッキ処理を施されたハーフミラーと、から構成されたことを特徴としている。
第２発明は、第１発明のメータ用の装飾リングにおいて、前記逆Ｕ字状など立体的な構造を有する形状に形成された透光性リングの裏側の内壁面に、前記ハーフミラー越しに見える凹凸パターンを施したことを特徴としている。
第３発明は、第２発明のメータ用の装飾リングにおいて、前記凹凸パターンが凹凸で網目状、市松状、波状、斜線状、複数直線状などを描いたパターンであることを特徴としている。
第４発明は、第１〜３発明のいずれかのメータ用の装飾リングにおいて、前記ハーフミラー又は前記透光性リングに部分的に不透光メッキ又は不透光材料を施して不透光部分を形成したことを特徴としている。
【発明の効果】
【００１０】
このような構成により、従来の装飾リングに無いような発光により、金属リングとしての装飾と光の演出効果の両方を有するリング仕様機能となるようにでき、したがって商品力の向上に貢献できる装飾リングが得られる。
【図面の簡単な説明】
【００１１】
【図１】本発明に係る装飾リングの縦断面図である。
【図２】図１の装飾リングの二重の装飾効果を示す斜視図である。
【図３】本発明に係る図１の装飾リングが配設された自動車の指針式表示装置を示す正面図で、（ａ）は夜の状態、（ｂ）は昼の状態を示している。
【図４】第３の実施形態に係る装飾リングの縦断面図で、（ａ）は実施例１、（ｂ）は実施例２である。
【図５】透過型タイプの従来のリングを示す図で、（ａ）は斜視図、（ｂ）は図（ａ）のＡ−Ａ断面図である。
【図６】反射型タイプの従来のリングを示す図で、（ａ）は斜視図、（ｂ）は図（ａ）のＡ−Ａ断面図である。
【図７】自動車の指針式表示装置にある従来の装飾リングを示す正面図で、（ａ）はＡ車の状態、（ｂ）はＢ車の状態を示している。
【発明を実施するための形態】
【００１２】
以下、本発明に係る自動車のメータ用の装飾リングについて、図面に基づいて説明する。
【実施例１】
【００１３】
〈本発明の装飾リング〉
図１は本発明に係る装飾リングの縦断面図で、（ａ）は凹凸なし、（ｂ）〜（ｆ）は凹凸ありの図である。
図１（ａ）において、本発明に係る装飾リング１０は逆Ｕ字状をした透光性の生地１１の表面にメッキ処理を施したハーフミラー１２が形成されている。
そこで、視認方向（Ｕ字凸部側）の反対側（Ｕ字の開口側）にバックライトを置くと、バックライトから透光性生地１１の中に光が入射しその中を導光して出射することによりあたかも装飾リング１０自体が発光しているかのように明るく照明される。
一方、昼間など照明光（バックライト）が無い状態では周囲の白昼光が「ハーフミラー」によって反射してメッキ・リング自体の金属光沢の「装飾」となる。
このように本発明によれば、メッキ・リング自体の金属光沢の「装飾」の存在を有しながら、夜間などで照明光（文字板などのバックライト光源）が点灯した時は透光作用を有する「ハーフミラー」を透過した光によりリング自体が発光しているかのような光（照明）による二重の演出効果が図られる。
【００１４】
図２は図１の装飾リングの二重の装飾効果を示す斜視図で、（ａ）はバックライトによる発光効果、（ｂ）メッキ・リング自体の金属光沢の装飾効果を示している。図２（ａ）では、視認方向の反対側（紙面の裏側）にバックライトを置くと、バックライトから透光性生地１１の中に光が入射しその中を導光することによりあたかも装飾リング１０自体が発光しているかのように明るく照明（図では明るい照明を白抜きで示している）される。
一方、図２（ｂ）では、バックライトを消灯し、白昼光が「ハーフミラー」によって反射してメッキ・リング自体の金属光沢（図では金属光沢をシャドーで示している）の「装飾」となる。
【００１５】
図３は本発明に係る図１の装飾リングが配設された自動車の指針式表示装置を示す正面図で、（ａ）は夜の状態、（ｂ）は昼の状態を示している。
図３において、１００は自動車の指針式表示装置で、本発明に係る装飾リング１０（図１）がメータの周囲に配設されている。装飾リング１０は同じ装飾リングでありながら、昼（ａ）はメッキ・リング自体の「金属光沢」の装飾リング１０Ｒとなり、夜（ｂ）はバックライトによるリング自体が発光する装飾リング１０Ｄとなることで、二重の装飾効果（１０Ｄ、１０Ｒ）を有している。
これにより、従来には無いような発光により、リングとしての装飾と光の演出効果の両方を有するリング仕様機能となり、商品力の向上に貢献することができる。
【実施例２】
【００１６】
図１に戻って、第２の実施形態に係る装飾リング１０’は逆Ｕ字状をした透光性の生地１１’の表面にメッキ処理を施したハーフミラー１２が形成され、かつ透光性の生地１１’の裏側（バックライト側）に凹凸を施すものである。
このように凹凸を形成することで、「ハーフミラー」を介して、その凹凸構造による照明の強弱が見える演出効果が得られることとなる。
図１（ｂ）〜（ｆ）は凹凸パターンの諸実施例を示している。
（ｂ）は網目状、（ｃ）は市松状、（ｄ）は波状、（ｅ）は斜線状、（ｆ）は複数の直線状によるパターンをそれぞれ示している。
したがって、透光性の生地１１’の裏側に網目状の凹凸パターンを施すと、視認側から装飾パターンを見ると、照明の強弱が網目状に見えるようになり、従来にない演出効果が得られる。
同じく、透光性の生地１１’の裏側に市松状の凹凸パターンを施すと、視認側から装飾パターンを見ると、照明の強弱が市松状に見えるようになり、従来にない演出効果が得られる。以下、同じである。
【実施例３】
【００１７】
第１および第２の実施形態では、装飾リングは全面透過光領域になっていたが、第３の実施形態は、部分的に不透光部分（不透過のメッキか材料）を施すようにしている。
図４は第３の実施形態に係る装飾リングの縦断面図で、（ａ）は実施例１、（ｂ
）は実施例２である。
図４（ａ）において、第３の実施形態に係る実施例１の装飾リング１０”は逆Ｕ字状をした透光性の生地１１の表面にメッキ処理を施したハーフミラー１２が形成され、さらにハーフミラー１２の一部に不透光材料１３を施したものである。
このように不透光部分を形成することで、その部分が陰影となり、陰影が加わる演出も出来るようになる。
なお、不透光材料１３をハーフミラー１２の一部に形成したが、透光性の生地１１の中に不透光材料１３’を埋め込んでもよい。
【００１８】
図４（ｂ）において、第３の実施形態に係る実施例２の装飾リング１０”は、ハーフミラー１２の表面の一部に不透光のメッキ１４を施したものである。
このように不透光メッキを形成することで、その部分が陰影となり、陰影が加わる演出も出来るようになる。
【００１９】
以上、本発明によれば、従来の装飾としての『リング』に対し、照明無しの時は金属光沢のリングとしての装飾存在の効果を有しながら、照明有りの時はリング自体が発光することで、『光』の演出となる装飾効果を有する機能を持たせることができる。
これにより、従来にはないような発光により、リングとしての装飾と光の演出効果の両方を有するリング仕様機能となる。したがって、商品力の向上に貢献することができる。
なお、本発明の実施例では逆Ｕ字形状での例を説明したが、本発明での形状は逆Ｕ字形状に限定されるものではなく、逆Ｖ字形状、三角形状等立体的な構造を有するように構成された形状であれば良い。
【符号の説明】
【００２０】
１０  本発明の第１の実施形態に係る装飾リング
１０’  本発明の第２の実施形態に係る装飾リング
１１  本発明の第１の実施形態に係る透光性の生地
１１’  本発明の第２の実施形態に係る透光性の生地
１２  ハーフミラー
１００  本発明の装飾リングが適用された指針式表示装置
１０Ｄ  透光モードの装飾リング
１０Ｒ  金属光沢（反射）モードの装飾リング
【図１】
2010185695.tif 000003
【図２】
2010185695.tif 000004
【図３】
2010185695.tif 000005
【図４】
2010185695.tif 000006
【図５】
2010185695.tif 000007
【図６】
2010185695.tif 000008
【図７】
2010185695.tif 000009